(57)【要約】  情報表示画面領域に透明な画素用電極が形成され、情報表示画面領域以外の領域に画素用電極から引き出したライン状電極である第１接続用電極および前記第１接続用電極とは接続していない別のライン状電極である第３接続用電極が形成された透明な第１基板と、情報表示画面領域に画素用電極が形成され、情報表示画面領域以外の領域に前記画素用電極から引き出したライン状電極である第２接続用電極が形成されたフィルム状の第２基板と、透明な第１基板の透明な画素用電極と第２基板の画素用電極とを対向させて形成した第１基板と第２基板との対向空間の情報表示画面領域に表示媒体を封止するとともに、第２接続用電極と、第３接続用電極の一方の電極端子とを異方導電接続部材で接続し、第３接続用電極のもう一方の電極端子と、および、第１接続用電極の電極端子と、第２基板の裏側に配置する、駆動装置側の駆動回路基板に設けられた接続用電極端子とを、接続用の配線基板を介して、接続用の配線基板の駆動回路側との接続端が、接続用の配線基板を折り返すことなく内側を向くように実装して、駆動装置側と電気的に接続することによって、対向した画素用電極を介し表示媒体を駆動させて情報を表示するように構成した。
2010073716.tif 000002
【特許請求の範囲】
【請求項１】
情報表示画面領域に透明な画素用電極が形成され、情報表示画面領域以外の領域に前記画素用電極から引き出したライン状電極である第１接続用電極および前記第１接続用電極とは接続していない別のライン状電極である第３接続用電極が形成された透明な第１基板と、
情報表示画面領域に画素用電極が形成され、情報表示画面領域以外の領域に前記画素用電極から引き出したライン状電極である第２接続用電極が形成されたフィルム状の第２基板と、
透明な第１基板の透明な画素用電極と第２基板の画素用電極とを対向させて形成した第１基板と第２基板との対向空間の情報表示画面領域に表示媒体を封止するとともに、
前記第２接続用電極と、前記第３接続用電極の一方の電極端子とを異方導電接続部材で接続し、
前記第３接続用電極のもう一方の電極端子と、および、前記第１接続用電極の電極端子と、前記第２基板の裏側に配置する、駆動装置側の駆動回路基板に設けられた接続用電極端子とを、接続用の配線基板を介して、前記接続用の配線基板の駆動回路側との接続端が、前記接続用の配線基板を折り返すことなく内側を向くように実装して、駆動装置側と電気的に接続することによって、対向した画素用電極を介して前記表示媒体を駆動させて情報を表示するように構成したことを特徴とする情報表示用パネル。
【請求項２】
前記透明な第１基板の情報表示画面領域に形成された透明な画素用電極が透明なストライプ電極であって、前記第２基板の情報表示画面領域に形成された画素用電極がストライプ電極であることを特徴とする請求項１に記載の情報表示用パネル。
【請求項３】
前記透明な第１基板の情報表示画面領域に形成された透明な画素用電極が透明な共通電極であって、前記第２基板の情報表示画面領域に形成された画素用電極がＴＦＴ付き電極であることを特徴とする請求項１に記載の情報表示用パネル。
【請求項４】
前記第２接続用電極と、前記第３接続用電極とを電気的に接続する異方導電接続部材が、導電性粒子を非導電性樹脂に含ませた構成の異方導電接続部材であって、前記第２接続用電極間同士のスペースおよび前記第３接続用電極間同士のスペースはともにＤ１とし、前記導電性粒子の平均粒子径をＤ２としたとき、Ｄ１/Ｄ２＞３の関係となるようにしたことを特徴とする請求項１〜３のいずれか１項に記載の情報表示用パネル。
【請求項５】
前記フィルム状の第２基板の厚さが、５０μｍ〜５００μｍのものであることを特徴とする請求項１〜４のいずれか１項に記載の情報表示用パネル。
【請求項６】
前記第３接続用電極のもう一方の電極端子と、および、前記第１接続用電極の電極端子と、前記第２基板の裏側に配置する、駆動装置側の駆動回路基板に設けられた接続用電極端子との電気的接続を、接続用の配線基板として、接続用電極が形成されたフレキシブル基板を用いて行うようにしたことを特徴とする請求項１〜５のいずれか１項に記載の情報表示用パネル。
【請求項７】
前記第３接続用電極のもう一方の電極端子と、および、前記第１接続用電極の電極端子と、前記第２基板の裏側に配置する、駆動装置側の駆動回路基板に設けられた接続用電極端子との電気的接続を、接続用の配線基板として、いずれも接続用電極が形成され、駆動用ＩＣチップが実装されたフレキシブル基板を用いて行うようにしたことを特徴とする請求項１〜５のいずれか１項に記載の情報表示用パネル。
【発明の詳細な説明】
【技術分野】
【０００１】
本発明は、電気的に駆動可能な表示媒体を、観察側パネル基板と背面側パネル基板との間に封止し、この表示媒体を、前記２枚のパネル基板に設けた電極を対向させて形成した対電極を介して駆動させて画像等の情報表示を行う方式の情報表示用パネルに関するものである。
【背景技術】
【０００２】
従来、液晶表示パネルの背面側に駆動回路等の回路配線部を設け、液晶表示パネルの駆動回路と回路配線部とを、フレキシブルケーブルを折り返すように構成して接続し、装置の薄型化、小面積化、狭額縁化を実現した液晶表示装置が知られている（例えば、特許文献：特開２０００−９８４１７号公報参照）。【０００３】
図８（ａ）、（ｂ）はそれぞれ従来の情報表示用パネルの一例を説明するための図である。図８（ａ）、（ｂ）に示す例では、上述した特許文献１に示されたＴＡＢ部の代わりにフレキシブルケーブル５８を折り曲げてパネルとパネル裏面側に配置した駆動回路側とを接続する技術を、帯電性粒子を含んだ粒子群として構成した色および帯電極性が異なる２種類の表示媒体を、観察側パネル基板と背面側パネル基板との間に設けた複数のセル内に封止し、この２種類の表示媒体を、前記２枚のパネル基板に設けた電極を対向させて形成した対電極に電圧を印加して形成した電界で駆動させて画像等の情報表示を行う方式の情報表示用パネルに適用した例を示している。【０００４】
図８（ａ）、（ｂ）に示す例において、５１は情報表示用パネルを構成する観察側透明基板、５２は情報表示用パネルを構成する背面側基板、５３は背面側基板の裏側に配置した駆動回路を搭載した駆動回路基板、５４は表示媒体を配置する観察側透明基板５１と背面側基板５２との間の表示媒体配置層、５５は観察側透明基板５１上に設けた駆動用電極との観察側の接続用電極、５６は背面側基板５２上に設けた駆動用電極との背面側の接続用電極、である。情報表示用パネルと駆動装置とは、上述した構成に配置して、コンパクトな情報表示装置とするのが一般的である。上述した構成の情報表示装置において、図８（ａ）に示す例では、情報表示用パネルの観察側の接続用電極５５と駆動回路基板５３上に設けたコネクター５７とを、駆動用ＩＣチップが搭載されたフレキシブルケーブルであるＴＣＰ（Tape Carrier Package）５８を折り返して接続している（図では駆動用ＩＣチップを搭載していない）。また、図８（ｂ）に示す例では、背面側の接続用電極５６と駆動回路基板５３上に設けたコネクター５７とを、駆動用ＩＣチップ（図示していない）が搭載されたフレキシブルケーブルであるＴＣＰ５８を折り返して接続している。
【発明の概要】
【発明が解決しようとする課題】
【０００５】
上述した図８（ａ）、（ｂ）に示す従来の情報表示用パネルでは、観察側の接続用電極５５と接続したＴＣＰ５８を駆動回路基板５３側へ接続するとき、ＴＣＰ５８のフレキシブルな部分をパネル基板の裏側に折り返す必要がある。そのため、ＴＣＰ５８の曲げた部分５９がパネル基板の外側にはみ出すことになり、そのはみ出し部分を含んだＴＣＰ実装領域がいわゆる額縁となって、パネル観察側の画面（情報表示領域）を狭めてしまう問題があった。図９（ａ）にＴＣＰ５８を折り返す前の状態を示すとともに、図９（ｂ）にＴＣＰ５８を折り返して接続した後の状態を示す。また、ＴＣＰ５８の曲げた部分５９には応力集中が起こり、その上に形成されている電極線が断線しやすいという不具合もあった。さらに、ＴＣＰ５８を曲げることによる応力のため、ＡＣＦ（Anisotropic Conductive Film）やＡＣＰ（Anisotropic Conductive Paste）を用いた異方導電接続部分にも力がかかり、接着が剥がれることによる断線を引き起こす不具合もあった。【０００６】
本発明の目的は上述した、情報表示用パネルの裏側に配置する駆動装置を構成する駆動回路基板に設けられた接続用電極端子と、情報表示用パネルに設けられた画素用電極の接続用電極端子とを、例えばフレキシブルケーブルなどの接続用の部材を折り返して電気的に接続する際、情報表示用パネルの外側に、折り返した接続用部材の一部がはみ出してしまう問題を解決して狭額縁の情報表示装置とできる情報表示用パネルを提供するとともに、電極や異方導電接続部分での断線が発生しない情報表示装置とできる情報表示用パネルを提供しようとするものである。
【課題を解決するための手段】
【０００７】
本発明の情報表示用パネルは、情報表示画面領域に透明な画素用電極が形成され、情報表示画面領域以外の領域に前記画素用電極から引き出したライン状電極である第１接続用電極および前記第１接続用電極とは接続していない別のライン状電極である第３接続用電極が形成された透明な第１基板と、情報表示画面領域に画素用電極が形成され、情報表示画面領域以外の領域に前記画素用電極から引き出したライン状電極である第２接続用電極が形成されたフィルム状の第２基板と、透明な第１基板の透明な画素用電極と第２基板の画素用電極とを対向させて形成した第１基板と第２基板との対向空間の情報表示画面領域に表示媒体を封止するとともに、前記第２接続用電極と、前記第３接続用電極の一方の電極端子とを異方導電接続部材で接続し、前記第３接続用電極のもう一方の電極端子と、および、前記第１接続用電極の電極端子と、前記第２基板の裏側に配置する、駆動装置側の駆動回路基板に設けられた接続用電極端子とを、接続用の配線基板を介して、前記接続用の配線基板の駆動回路側との接続端が、前記接続用の配線基板を折り返すことなく内側を向くように実装して、駆動装置側と電気的に接続することによって、対向した画素用電極を介して前記表示媒体を駆動させて情報を表示するように構成したことを特徴とするものである。【０００８】
また、本発明の情報表示用パネルの好適例としては、前記透明な第１基板の情報表示画面領域に形成された透明な画素用電極が透明なストライプ電極であって、前記第２基板の情報表示画面領域に形成された画素用電極がストライプ電極であること、前記透明な第１基板の情報表示画面領域に形成された透明な画素用電極が透明な共通電極であって、前記第２基板の情報表示画面領域に形成された画素用電極がＴＦＴ付き電極であること、前記第２接続用電極と、前記第３接続用電極とを電気的に接続する異方導電接続部材が、導電性粒子を非導電性樹脂に含ませた構成の異方導電接続部材であって、前記第２接続用電極間同士のスペースおよび前記第３接続用電極間同士のスペースはともにＤ１とし、前記導電性粒子の平均粒子径をＤ２としたとき、Ｄ１/Ｄ２＞３の関係となるようにしたこと、前記フィルム状の第２基板の厚さが、５０μｍ〜５００μｍのものであること、前記第３接続用電極のもう一方の電極端子と、および、前記第１接続用電極の電極端子と、前記第２基板の裏側に配置する、駆動装置側の駆動回路基板に設けられた接続用電極端子との電気的接続を、接続用の配線基板として、接続用電極が形成されたフレキシブル基板を用いて行うようにしたこと、前記第３接続用電極のもう一方の電極端子と、および、前記第１接続用電極の電極端子と、前記第２基板の裏側に配置する、駆動装置側の駆動回路基板に設けられた接続用電極端子との電気的接続を、接続用の配線基板として、いずれも接続用電極が形成され、駆動用ＩＣチップが実装されたフレキシブル基板を用いて行うようにしたこと、がある。
【発明の効果】
【０００９】
本発明によれば、情報表示画面領域に透明な画素用電極が形成され、情報表示画面領域以外の領域に前記画素用電極から引き出したライン状電極である第１接続用電極および前記第１接続用電極とは接続していない別のライン状電極である第３接続用電極が形成された透明な第１基板と、情報表示画面領域に画素用電極が形成され、情報表示画面領域以外の領域に前記画素用電極から引き出したライン状電極である第２接続用電極が形成されたフィルム状の第２基板と、透明な第１基板の透明な画素用電極と第２基板の画素用電極とを対向させて形成した第１基板と第２基板との対向空間の情報表示画面領域に表示媒体を封止するとともに、前記第２接続用電極と、前記第３接続用電極の一方の電極端子とを異方導電接続部材で接続し、前記第３接続用電極のもう一方の電極端子と、および、前記第１接続用電極の電極端子と、前記第２基板の裏側に配置する、駆動装置側の駆動回路基板に設けられた接続用電極端子とを、接続用の配線基板を介して、前記接続用の配線基板の駆動回路側との接続端が、前記接続用の配線基板を折り返すことなく内側を向くように実装して、駆動装置側と電気的に接続することによって、対向した画素用電極を介して前記表示媒体を駆動させて情報を表示するように構成したことで、接続用の配線基板を、透明な第１の基板の情報表示画面領域外側において、透明な第１の基板の内面側、すなわち、観察側から見て裏面側に実装したので、従来、接続用の配線基板を折り返して駆動回路が搭載された駆動回路基板側に接続するときにできる接続用の配線基板のはみ出し部分がなくなり、額縁部分を小さくすることができる。【００１０】
また、本発明によれば、各配線基板において、駆動回路基板に形成した駆動回路側と接続したときに曲げられる部分がなくなだらかなので応力集中が起こらず、ケーブル断線を防ぐことができる。
【図面の簡単な説明】
【００１１】
【図１】（ａ）、（ｂ）はそれぞれ本発明の対象となる情報表示用パネルの一例を説明するための図である。
【図２】（ａ）、（ｂ）はそれぞれ本発明の対象となる情報表示用パネルの他の例を説明するための図である。
【図３】（ａ）、（ｂ）はそれぞれ本発明の情報表示用パネルのパネル部を構成する第１の基板および第２の基板の一例を説明するための図である。
【図４】（ａ）、（ｂ）はそれぞれ本発明の情報表示用パネルのパネル部を構成する第１の基板および第２の基板の他の例を説明するための図である。
【図５】（ａ）〜（ｃ）はそれぞれ本発明の情報表示用パネルの一例を説明するための図である。
【図６】（ａ）、（ｂ）はそれぞれ本発明の情報表示用パネルにおけるＴＣＰ実装部分の状態の一例を模式的に示す図である。
【図７】（ａ）、（ｂ）はそれぞれ本発明の情報表示用パネルにおけるＡＣＳ接続の一例を示す図である。
【図８】（ａ）、（ｂ）はそれぞれ従来の情報表示用パネルの一例を説明するための図である。
【図９】（ａ）、（ｂ）はそれぞれ従来の情報表示用パネルにおけるＴＣＰ実装部分の状態の一例を模式的に示す図である。
【発明を実施するための形態】
【００１２】
まず、本発明の対象となる情報表示用パネルの一例として、帯電性粒子を含んだ粒子群を電気的に駆動可能な表示媒体として用いた情報表示用パネルの構成について説明する。前記情報表示用パネルでは、対向する２枚の基板間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明の対象となる帯電粒子電界駆動方式の情報表示用パネルの例を、図１（ａ）、（ｂ）〜図２（ａ）、（ｂ）に基づき説明する。
【００１４】
図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けたストライプ電極６と基板１に設けたストライプ電極５とが対向直交交差して形成する画素電極対に電圧を印加することにより発生する電界に応じて、基板１、２と垂直に移動させるパッシブ駆動方式の構成としている。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。
【００１５】
図２（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と基板２に設けた電極６（共通電極）とが対向して形成する画素電極対に電圧を印加することにより発生する電界に応じて、基板１、２と垂直に移動させるアクティブ駆動方式の構成としている。そして、図２（ａ）に示すように白色表示媒体３Ｗを観察者に視認させて白色表示を、あるいは、図２（ｂ）に示すように黒色表示媒体３Ｂを観察者に視認させて黒色表示を、白黒のドットでマトリックス表示している。なお、図１（ａ）、（ｂ）において、手前にある隔壁は省略している。
この図２（ａ）、（ｂ）で示した駆動方式では、白色表示媒体３Ｗおよび黒色表示媒体３Ｂを透明な絶縁液体とともにマイクロカプセルに封止し、このマイクロカプセルを基板１と基板２との間に配置した情報表示用パネルにも適用できる。
【００１６】
本発明の情報表示用パネルの特徴は、上述した構成の情報表示用パネルを基本として、情報表示画面領域に透明な画素用電極が形成され、情報表示画面領域以外の領域に前記画素用電極から引き出したライン状電極である第１接続用電極および前記第１接続用電極とは接続していない別のライン状電極である第３接続用電極が形成された透明な第１基板と、情報表示画面領域に画素用電極が形成され、情報表示画面領域以外の領域に前記画素用電極から引き出したライン状電極である第２接続用電極が形成されたフィルム状の第２基板と、透明な第１基板の透明な画素用電極と第２基板の画素用電極とを対向させて形成した第１基板と第２基板との対向空間の情報表示画面領域に表示媒体を封止するとともに、前記第２接続用電極と、前記第３接続用電極の一方の電極端子とを異方導電接続部材で接続し、前記第３接続用電極のもう一方の電極端子と、および、前記第１接続用電極の電極端子と、前記第２基板の裏側に配置する、駆動装置側の駆動回路基板に設けられた接続用電極端子とを、接続用の配線基板を介して、前記接続用の配線基板の駆動回路側との接続端が、前記接続用の配線基板を折り返すことなく内側を向くように実装して、駆動装置側と電気的に接続することによって、対向した画素用電極を介して前記表示媒体を駆動させて情報を表示するように構成した点にある。
【００１７】
以下、本発明の情報表示用パネルの具体的な例について、図面を参照して説明する。
【００１８】
図３（ａ）、（ｂ）はそれぞれ本発明を適用したパッシブ駆動によるドットマトリックス表示方式の情報表示用パネルのパネル部を構成する第１の基板および第２の基板の一例を説明するための図である。図３（ａ）は第１の基板としての観察側透明基板１１を示し、図３（ｂ）は第２の基板としての背面側基板２１を示している。
【００１９】
図３（ａ）に示す観察側透明基板１１は、情報表示画面領域１２に透明なストライプ電極１３（透明導電膜からなる画素用電極）が形成され、情報表示画面領域１２以外の領域にストライプ電極１３からの引き出し線（導電膜）である第１接続用電極１４、および、図３（ｂ）に示す背面側基板２１の情報表示画面領域２２以外の領域に形成され、背面側基板２１のストライプ電極２３（導電膜）から引き出された線（導電膜）である第２接続用電極２４との接続および駆動装置側の接続用電極端子（図示せず）との接続に用いる第３接続用電極１５が形成された透明な基板として構成される。図３（ｂ）に示す背面側基板２１は、情報表示画面領域２２にストライプ電極２３（導電膜）が形成され、情報表示画面領域２２以外の領域にストライプ電極２３から引き出され、第１の基板の第３接続用電極１５との接続に用いる。第２接続用電極２４（導電膜）が形成されたフィルム基板として構成される。この背面側基板２１の厚さはできるだけ薄いことが好ましく、５０μｍ〜５００μｍの範囲であることが好ましい。
【００２０】
図３（ａ）、（ｂ）に示す例では、背面側基板２１のストライプ電極２３から引き出した第２接続用電極２４と観察側透明基板１１の第３接続用電極１５の一方の電極端子とを導電性粒子を含んだシール剤である異方導電シール剤（Anisotropic Conductive Seal:ＡＣＳ）で接続し、観察側透明基板１１の第３接続用電極１５上に背面側電極２１の第２接続用電極２４と接続するためのＡＣＳ接続部分１６を形成するとともに、背面側基板２１の第２接続用電極２４上に観察側透明基板１１の第３接続用電極１５と接続するためのＡＣＳ接続部分２５を形成している。また、観察側透明基板１１の第３接続用電極１５のもう一方の電極端子に駆動回路（図示せず）と接続する部分１７を形成している。さらに、観察側透明基板１１の第１接続用電極１４に駆動回路（図示せず）と接続する部分１８を形成している。
【００２１】
図４（ａ）、（ｂ）はそれぞれ本発明を適用したアクティブ駆動によるドットマトリックス表示方式の情報表示用パネルのパネル部を構成する第１の基板および第２の基板の他の例を説明するための図である。図４（ａ）は第１の基板としての観察側透明基板１１を示し、図４（ｂ）は第２の基板としての背面側ＴＦＴ基板２１を示している。
【００２２】
図４（ａ）に示す観察側透明基板１１は、情報表示画面領域１２に透明な共通電極１３（透明導電膜からなる画素用電極）が形成され、情報表示画面領域１２以外の領域に共通電極１３からの引き出し線（導電膜）である第１接続用電極１４、および、図４（ｂ）に示す背面側ＴＦＴ基板２１の情報表示画面領域２２以外の領域に形成され、背面側ＴＦＴ基板２１の画素用電極２３（導電膜）から引き出されたライン状の電極（導電膜からなるゲート線およびデータ線）である第２接続用電極２４との接続および駆動装置側の接続用電極端子（図示せず）との接続に用いる第３接続用電極１５が形成された透明な基板として構成される。図４（ｂ）に示す背面側ＴＦＴ基板２１は、情報表示画面領域２２にＴＦＴ付き画素用電極２３（導電膜）が形成され、情報表示画面領域２２以外の領域にＴＦＴ付き画素用電極２３からゲート線およびデータ線により引き出され、第１の基板の第３接続用電極１５との接続に用いる第２接続用電極２４（導電膜）が形成されたフィルム基板として構成される。この背面側ＴＦＴ基板２１の厚さはできるだけ薄いことが好ましく、５０μｍ〜５００μｍの範囲であることが好ましい。
【００２３】
図４（ａ）、（ｂ）に示す例では、背面側ＴＦＴ基板２１のＴＦＴ付き画素用電極２３から引き出した第２接続用電極２４と観察側透明基板１１の第３接続用電極１５の一方の電極端子とを導電性粒子を含んだシール剤である異方導電シール剤（Anisotropic Conductive Seal:ＡＣＳ）で接続し、観察側透明基板１１の第３接続用電極１５上に背面側ＴＦＴ基板２１の第２接続用電極２４と接続するためのＡＣＳ接続部分１６を形成するとともに、背面側ＴＦＴ基板２１の第２接続用電極２４上に観察側透明基板１１の第３接続用電極１５と接続するためのＡＣＳ接続部分２５を形成している。また、観察側透明基板１１の第３接続用電極１５のもう一方の電極端子に駆動回路（図示せず）と接続する部分１７を形成している。さらに、観察側透明基板１１の第１接続用電極１４に駆動回路（図示せず）とＡＣＦで接続する部分１８を形成している。
【００２４】
図５（ａ）〜（ｃ）はそれぞれ本発明の情報表示用パネルの一例を説明するための図である。図５（ａ）は、観察側透明基板１１の裏側から見た場合の、情報表示用パネルの一部を示している。また、図５（ｂ）は図５（ａ）において第１の接続用配線基板であるフレキシブルケーブル３１を横切るＡ−Ａ線に沿った断面を示し、図５（ｃ）は図５（ａ）において第２の接続用配線基板であるフレキシブルケーブル３２を横切るＢ−Ｂ線に沿った断面図を示している。なお、図５（ａ）〜（ｃ）に示す部材のうち、図１（ａ）、（ｂ）〜図４（ａ）、（ｂ）に示した部材と同一の部材には同一の符号を付し、その説明を省略する。
【００２５】
図５（ａ）に示す例では、図３（ａ）に示す第１のフレキシブルケーブル接続部分１７と接続する観察側透明基板１１の裏側に実装した第１のフレキシブルケーブル３１と、図３（ａ）に示す第２のフレキシブルケーブル接続部分１８と接続する観察側透明基板１１の裏側に実装した第２のフレキシブルケーブル３２との、観察側透明基板１１に対する位置関係を示している。
【００２６】
図５（ｂ）、（ｃ）に示す例において、背面側基板２１の裏側に、駆動装置側の駆動回路基板３３を電子部品が搭載されていない面を対向させて配置している。駆動回路基板３３は、駆動回路、駆動電源等、駆動に必要な電子部品を搭載した基板のことをいう。図５（ｂ）に示す例において、背面側基板２１の第２接続用電極２４と観察側透明基板１１の第３接続用電極１５の一方の電極端子とは、ＡＣＳ３６をフレキシブルケーブル接続部分１７の内側のＡＣＳ接続部分１６に設けることにより電気的に接続されている。また、第１のフレキシブルケーブル３１の一方の端部は駆動回路基板３３に設けた第１のコネクター３４と電気的に接続されるとともに、第１のフレキシブルケーブル３１のもう一方の端部は、観察側透明基板１１の第３接続用電極１５のもう一方の電極端子の第１のフレキシブルケーブル接続部分１７にＡＣＦ３７を設けることにより電気的に接続されている。図５（ｃ）に示す例において、第２のフレキシブルケーブル３２の一方の端部は駆動回路基板３３に設けた第２のコネクター３５と電気的に接続されるとともに、第２のフレキシブルケーブル３２のもう一方の端部は、観察側透明基板１１の第１接続用電極１４の第２のフレキシブルケーブル接続部分１８にＡＣＦ３７を設けることにより電気的に接続されている。
接続用の配線基板であるフレキシブルケーブルを、その駆動回路側との接続端が内向きになるように実装することで、フレキシブルケーブルを折り返すことなく、情報表示用パネルを駆動装置の駆動回路側と接続することができる。
【００２７】
図６（ａ）、（ｂ）はそれぞれ本発明を適用したパッシブ駆動によるドットマトリックス表示方式の情報表示用パネルにおける駆動装置側との接続用配線基板であるフレキシブルケーブルの接続部分の状態の一例を模式的に示す図である。図６（ａ）に第１のフレキシブルケーブル（ＴＣＰともいう）３１と第２のフレキシブルケーブル（ＴＣＰともいう）３２の観察側透明基板１１に対する実装前の状態を模式的に示した例と、図６（ｂ）に第１のフレキシブルケーブル３１と第２のフレキシブルケーブル３２の観察側透明基板１１に対する実装前の状態を模式的に示した例とからわかるように、本発明の情報表示用パネルでは、第１のＴＣＰ３１および第２のＴＣＰ３２とも観察側透明基板１１の裏側に完全に配置することができるため、図９（ａ）、（ｂ）に示した従来例のようにフレキシブルケーブルのはみ出し部分をなくすことができ、駆動装置を組み込んだ情報表示装置における情報表示部の狭額縁化を達成することができる。また、図９（ａ）、（ｂ）に示した従来例のように接続用配線基板（フレキシブルケーブルとも、ＴＣＰともいう）が屈曲する部分はないため、接続用配線基板の電極の断線や接続部分の断線をなくすことができる。
【００２８】
なお、接続用配線基板として、駆動用ＩＣチップがＴＡＢ（Tape Automated Bonding）技術やＣＯＦ（Chip On Film）技術を用いて実装されたＴＣＰ（Tape Carrier Package）や駆動用ＩＣチップが搭載されていないフレキシブルケーブル、駆動用ＩＣチップが搭載されたフレキシブルケーブルを用いることができる。
【００２９】
図７（ａ）、（ｂ）はそれぞれ本発明の情報表示用パネルにおける異方導電接続の一例としてＡＣＳ接続の例を示す図である。図７（ａ）に示す例は電極方向から見た様子を示し、図７（ｂ）に示す例は電極の横方向から見た様子を示している。図７（ａ）、（ｂ）に示す例において、観察側透明基板１１の第３接続用電極１５と背面側基板２１の第２接続用電極２４とを、異方導電接続部材、ここでは、ＡＣＳ３６により電気的に接続している。ＡＣＳ３６は、導電性粒子４１をシール材となる非導電性樹脂４２に含ませて構成されており、図７（ａ）、（ｂ）に示すように、第２接続用電極２４同士間のスペースと第３接続用電極１５同士間のスペースとをともにＤ１とし、導電性粒子４１の平均粒子径をＤ２としたとき、Ｄ１／Ｄ２＞３の関係となるようにすることが好ましい。Ｄ１／Ｄ２が３以下であると、第２接続用電極２４間および第３接続用電極１５間で導電性粒子４１による短絡が発生する場合があるためである。
【００３０】
次に、本発明の情報表示用パネルを構成する各構成部材について説明する。
【００３１】
表示媒体を、帯電性粒子を含んだ粒子群として構成した場合には、この表示媒体は、情報表示用パネルの観察側基板と背面側基板との間に形成したセル内に配置するのが好ましい。これによって、駆動した表示媒体が偏在するようになることを防止できる。
また、表示媒体を、帯電性粒子を含んだ粒子群として構成した場合には、１つのセル内に光学的反射率および帯電極性が異なる２種類の表示媒体を配置する構成が好ましく用いられる。この場合、対向電極対が形成する画素と、少なくとも２種類の表示媒体が組み合わされて配置されたセルとは対応するようにしたり、対応しないようにしたりできる。三原色カラーフィルターと白色表示媒体、黒色表示媒体とを組み合せてカラー表示を行う場合や、三原色カラー表示媒体と黒色表示媒体または三原色カラー表示媒体と白色表示媒体を組み合せてカラー表示を行う場合には、画素とセルとを対応させるのが好ましい。
【００３２】
表示媒体を配置する対向基板間に隔壁を設けることでセルを形成したり、表示媒体を封止したマイクロカプセルとしてセルを形成したりすることができる。また、対向基板間ギャップを確保するために設ける基板間ギャップ確保用隔壁と、表示媒体とする粒子群がパネル基板と平行な方向に移動することを抑制する機能を担うセル形成用隔壁とを設ける場合には、基板間ギャップ確保用隔壁の幅は、２０μｍ〜１００μｍの範囲が好ましく、セル形成用隔壁の幅は、５μｍ〜３０μｍの範囲で、できるだけ細くすることが好ましい。さらにまた、セル形成用隔壁は基板間ギャップ確保用隔壁の高さよりも低くしてもよく、表示媒体とする粒子群がパネル基板と平行な方向に移動することを抑制する機能を損なわない範囲とする。セル形成用隔壁は双方のパネル基板の対向位置に形成し、基板同士を重ね合わせたときに対向する構成としてもよく、この場合、対向部分を接合してもよいし接合しなくてもよい。
【００３３】
パネル基板間ギャップ確保用として設ける隔壁部分（パネル基板間ギャップ確保用隔壁部分）および基板間空間を小部屋に仕切るための隔壁部分（セル形成用隔壁部分）の配置は、格子状、ハニカム状、網目状などにすることができる。セルの横断面形状は、四角形、三角形、六角形、階段型八角形等の多角形や、円形、楕円形、レーストラック形等いずれでも良いし、複数の形状を組み合わせても良い。
表示部の開口率を大きくできる点からは四角形や六角形、階段型八角形等の多角形が好ましく、表示媒体を構成する粒子を移動しやすくできる点からは曲線を有する形状が好ましい。また、マトリックス配置された画素とセルとを対応させる場合には格子状を基調に隔壁を形成して、セル形状を四角形や階段型八角形にすることが好ましい。前記観点から角丸付きの四角形や角丸付きの階段型八角形等の角丸付き多角形が好ましく用いられる。
【００３４】
基板間ギャップ確保用として設ける隔壁や、基板間ギャップ確保および異なる表示色で情報画像の表示を行うエリア境界に設ける隔壁およびセル形成専用の隔壁の形成材料としては、ドライフィルムレジスト材が好適に用いられる。一例として、アルフォＮＩＴ２（ニチゴーモートン社製）やＰＤＦ３００（新日鐵化学社製）を使用することができる。
【００３５】
形成したい隔壁部分の高さに合せた厚みのドライフィルムレジスト材をパネル基板に積層し、所定形状のフォトマスクを用いてフォトリソ法によってパターニングする。
【００３６】
基板間ギャップ確保用の隔壁部分の幅は、２０μｍ〜１００μｍの範囲とし、セル形成用の隔壁部分の幅は、５μｍ〜３０μｍの範囲とし、セル形成用の隔壁部分の幅を、基板間ギャップ確保用の隔壁部分の幅よりも小さくすると情報表示画面領域における開口率が増すので好ましい。
【００３７】
本発明の対象となる情報表示用パネルは、前述した帯電粒子気体（真空を含む）中移動型のほか、帯電粒子絶縁液体中移動（電気泳動）型や液晶駆動型のものも挙げられる。
【００３８】
導電膜をパターニングして電極とする導電材料のうち、観察側の透明基板となる第１の基板には透明導電膜が得られる、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン、poly(3,4-ethylenedioxythiophene)-poly-(styrenesulfonate)（ＰＥＤＯＴ：ＰＳＳ）等の透明導電性高分子類を用いる。
【００３９】
導電膜をパターニングして電極とする導電材料のうち、観察側の情報表示画面領域に配置されないものには、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン、poly(3,4-ethylenedioxythiophene)-poly-(styrenesulfonate)（ＰＥＤＯＴ：ＰＳＳ）等の導電性高分子類や、金、銀、銅、アルミニウム、ニッケル、クロム等の金属や、これらの金属を主成分とする合金を用いる。これらの電極とする導電膜は透明であってもよいし、透明でなくても良い。
【００４０】
電極とする導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側の透明電極の厚みは、導電性が確保でき光透過性に支障がなければ良く、０．０１μｍ〜１０μｍが好ましく、０．０５μｍ〜５μｍがより好ましい。また、観察側ではない電極の厚みは、導電性が確保できれば良く、０．０１μｍ〜１０μｍの範囲で設ける。
【００４１】
観察側透明基板（第１の基板）の情報表示画面領域に設ける電極として好適なＩＴＯなどの透明金属酸化物系導電性材料は、金属材料に比べて可とう性が小さい。観察側電極をストライプ電極やライン状電極とする場合には、透明電極材中での断線防止のため、金属細線と併用することが好ましい。この金属細線の幅は、１μｍ〜１０μｍとすれば表示視認性の妨げとならないので情報表示画面領域に配置するストライプ電極にも好ましく適用できる。背面側基板（第２の基板）や接続用配線基板に設ける電極は光透過性を考慮する必要がないので電気抵抗が小さく、可とう性にも優れた前記金属材料が好適に用いられる。
【００４２】
本発明の対象となる情報表示用パネルに係る接続用配線基板は、厚さが２５μｍ〜２００μｍでフィルム状のフレキシブルな絶縁性基板が好ましく、好適な材料として、ポリエチレンテレフタレート（ＰＥＴ）、ポリエチレンナフタレート（ＰＥＮ）、ポリイミド（ＰＩ）、ポリエチレン（ＰＥ）、ポリプロピレン（ＰＰ）、ポリメチルメタクリレート（ＰＭＭＡ）、ポリカーボネート（ＰＣ）、ポリエーテルサルフォン（ＰＥＳ）などが挙げられる。
【実施例】
【００４３】
以下、実際の例について説明する。【００４４】
実施例の情報表示用パネルの第１基板（観察側基板）には、６００ラインのカラム側ストライプ電極を設け、第２基板（背面側基板）には、８００ラインのロウ側ストライプ電極を設けた。これにより、画素数６００×８００（約１００ｐｐｉ）のドットマトリックスを構成し、パッシブ駆動型の情報表示用パネルを得た。そして、３２０ｐｉｎドライバーＩＣを、ロウ電極側に３個、カラム電極側に２個用いる構成にし、情報表示画面領域のサイズが対角１０インチでほぼＡ５判サイズの情報表示用パネルを得た。【００４５】
表示媒体としては、下記に示したように、正帯電性黒色粒子を含んだ粒子群として構成した黒色表示媒体および負帯電性白色粒子を含んだ粒子群として構成した白色表示媒体を用い、画素の大きさに合せた開口が四角形のセルを格子状に配置した隔壁で囲んで形成し、その中に２種類の表示媒体を、合せた体積占有率が２５vol％になるように充填して前記情報表示用パネルを作製した。【００４６】
（黒色表示媒体：黒色粒子群）
ポリメチルペンテンポリマー（ＴＰＸ−Ｒ１８：三井化学社製）１００重量部と、着色剤としてカ−ボンブラック（スペシャルブラック４：デグッサ社製）５重量部と、正帯電の荷電制御剤としてニグロシン化合物（ボントロンＮ０７：オリエント化学製）３重量部、とを２軸混練機により溶融混練し、ジェットミル（ラボジェットミルＩＤＳ−ＬＪ型：日本ニューマチック（株）製）で細かく粉砕し、分級機（ＭＤＳ−２：日本ニュ−マチック工業）を用いて分級し、溶融球状化装置（ＭＲ−１０：日本ニュ−マチック工業）を用いて溶融球状化し、平均粒子径９．２μｍの正帯電性の黒色粒子群を得た。【００４７】
（白色表示媒体：白色粒子群）
ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットミルＩＤＳ−ＬＪ型：日本ニューマチック（株）製）で細かく粉砕し、分級機（ＭＤＳ−２：日本ニュ−マチック工業）を用いて分級し、溶融球状化装置（ＭＲ−１０：日本ニュ−マチック工業）を用いて溶融球状化し、平均粒子径９．５μｍの負帯電性の白色粒子群を得た。【００４８】
＜実施例１＞
透明なポリエチレンテレフタレートフィルム（ＰＥＴフィルム）にＩＴＯ（錫ドープ酸化インジウム）電極がストライプ状に形成された厚さ１２５μｍの電極付き透明フィルムを第1の基板とし、透明なポリエチレンテレフタレートフィルム（ＰＥＴフィルム）にＩＴＯ（錫ドープ酸化インジウム）電極がストライプ状に形成された厚さ１２５μｍの電極付き透明フィルムを第２の基板とした。第１の基板に形成されたストライプ状の電極と第２の基板に形成されたストライプ状の電極とは互いに直交するように対向させてできる基板間に表示媒体を封止するように貼り合せて表示パネルとした。第１の基板のストライプ電極は情報表示画面領域の外側に接続用のライン状電極として延長した。第２の基板のストライプ電極は情報表示画面領域の外側に接続用のライン状電極として延長した。第１の基板には、情報表示画面領域に形成されたストライプ電極とは別に、情報表示画面領域の外側に、前記第２の基板のストライプ電極を情報表示画面領域の外側に延長したライン状電極と基板間導通するための接続用のライン状電極を、第１の基板の情報表示画面領域に形成したストライプ電極と直角をなす方向にＩＴＯで形成した。【００４９】
前記基板間導通は情報表示画面領域の外側において対向した接続用のライン状電極間に、平均粒子径１０μｍの導電粒子を含んだ異方導電接続材（ＡＣＳ）を配置して行った。このＡＣＳ接続部の接続用のライン状電極間スペースはいずれも３５μｍとした。２枚の基板間は基板間ギャップ確保用部材を用いて４０μｍとし、ＡＣＳ接続は第２の基板を撓めて行った。次に、第１の基板のストライプ電極から情報表示画面領域の外に延長した接続用のライン状電極と、駆動用ＩＣが実装されたフレキシブルケーブル（ＴＣＰともいう）を平均粒子径５μｍの導電粒子を含んだ異方導電膜（ＡＣＦ）を用いて図６に示したように電気的に接続した。さらに、第１の基板上に作製された接続用のライン状電極の外側端部分にも、前記ＡＣＦを用いて駆動用ＩＣが実装されたＴＣＰを図６に示したように電気的に接続した。接続する部分のライン状電極間スペースはいずれも２０μｍとした。これで本発明の情報表示用パネルを得た。ガラエポ基板（ガラス繊維補強エポシキ樹脂基板）の片面のみに部品を実装し、片面は平らになるように駆動回路を形成した駆動回路基板を、平らな面を内側にして情報表示用パネルの裏側に配置し、駆動回路基板のコネクターに、情報表示用パネルのＴＣＰを接続して情報表示装置とし、情報表示用パネルの駆動を行った。【００５０】
＜結果＞
情報表示用パネルを駆動してテスト画像を表示させたところ、断線などの不具合は無く良好な表示結果を得ることが出来た。情報表示画面領域外側の表示が行えない部分、通称額縁と呼ばれる部分が極めて狭いため、体感的に実際の情報表示画面領域よりも画面が大きく感じられる情報表示部であった。さらに、コネクターへのＴＣＰ着脱を繰返し行ったり、ＴＣＰとの接続や基板間導通を行っている箇所であるパネルの周辺部を軽く曲げたりすることを繰返し行ったりしてもＡＣＳ接続部やＡＣＦ接続部で剥がれなどによる不具合は発生しなかった。また、情報表示用パネルと駆動回路基板とが重ねられた情報表示装置全体を手で扱ったところ、薄いフィルム状のパネルを用いているにもかかわらず駆動回路基板が重ねられたものは腰があり、端を手で持ったときでも自立性があり、折れて壊れるような不具合は起こらなかった。【００５１】
＜実施例２＞
情報表示用パネルは、実施例１に記載した情報表示用パネルと同様の情報表示用パネルを用いた。ガラエポ基板（ガラス繊維補強エポシキ樹脂基板）の片面のみに部品を実装し、片面は平らになるように駆動回路を形成した駆動回路基板の平らな面の四隅に粘着剤を配置し、駆動回路基板の平らな面を内側にして情報表示用パネルの裏側に貼り合わせ、駆動回路基板のコネクターに、情報表示用パネルのＴＣＰを接続して情報表示装置とし、情報表示用パネルの駆動を行った。【００５２】
＜結果＞
情報表示用パネルを駆動してテスト画像を表示させたところ、断線などの不具合は無く良好な表示結果を得ることが出来た。情報表示画面領域外側の表示が行えない部分、通称額縁と呼ばれる部分が極めて狭いため、体感的に実際の情報表示画面領域よりも画面が大きく感じられる情報表示部であった。さらに、コネクターへのＴＣＰ着脱を繰返し行ったり、ＴＣＰとの接続や基板間導通を行っている箇所であるパネルの周辺部を軽く曲げたりすることを繰返し行ったりしてもＡＣＳ接続部やＡＣＦ接続部で剥がれなどによる不具合は発生しなかった。また、情報表示用パネルと駆動回路基板とが重ねられて一体となっているので、薄いフィルム状のパネルを用いているにもかかわらず駆動回路基板が重ねられたものは腰があり、端を手で持ったときでも自立性があり、折れて壊れるような不具合は起こらなかった。【００５３】
＜比較例１＞
透明ＰＥＴフィルムにＩＴＯ電極がストライプ状に形成された厚さ１２５μｍの電極付き透明フィルムを第1の基板とし、透明ＰＥＴフィルムにＩＴＯ電極がストライプ状に形成された厚さ１２５μｍの電極付き透明フィルムを第２の基板とした。第１の基板に形成されたストライプ状の電極と第２の基板に形成されたストライプ状の電極とは互いに直交するように対向させてできる基板間に表示媒体を封止するように貼り合せてパネルとした。第１の基板のストライプ電極は情報表示画面領域の外側に接続用のライン状電極として延長した。第２の基板のストライプ電極は情報表示画面領域の外側に接続用のライン状電極として延長した。【００５４】
次に、第１の基板のストライプ電極から情報表示画面領域の外に延長した接続用のライン状電極と、駆動用ＩＣが実装されたフレキシブルケーブル（ＴＣＰともいう）を平均粒子径５μｍの導電粒子を含んだ異方導電膜（ＡＣＦ）を用いて電気的に接続した。さらに、第２の基板のストライプ電極から情報表示画面領域の外に延長した接続用のライン状電極と、駆動用ＩＣが実装されたフレキシブルケーブル（ＴＣＰともいう）を平均粒子径５μｍの導電粒子を含んだ異方導電膜（ＡＣＦ）を用いて電気的に接続した。接続する部分のライン状電極間スペースはいずれも２０μｍとした。これで従来の情報表示用パネルが得られた。ガラエポ基板（ガラス繊維補強エポシキ樹脂基板）の片面のみに部品を実装し、片面は平らになるように駆動回路を形成した駆動回路基板を、平らな面を内側にして情報表示用パネルの裏側に配置し、駆動回路基板のコネクターに、情報表示用パネルのＴＣＰを、１８０度折り返す形で接続して情報表示装置とし、情報表示用パネルの駆動を行った。【００５５】
＜結果＞
情報表示用パネルを駆動してテスト画像を表示させたところ、断線などの不具合は無く良好な表示結果を得ることが出来た。情報表示画面領域外側の表示が行えない部分、通称額縁と呼ばれる部分に折り返したＴＣＰのはみ出し部分が含まれるため、体感的に実際の情報表示画面領域よりも画面が小さく感じられる情報表示部であった。さらに、コネクターへのＴＣＰ着脱を繰返し行ったところ、１０回程度の繰返しでＡＣＦ接続部に剥がれが発生した。また、ＴＣＰとの接続を行っている箇所であるパネルの周辺部を軽く曲げたりすることを繰返し行ったりしたところＡＣＦ接続部で剥がれが発生したことによる断線によって、テスト画像の一部が表示できなかった。【００５６】
＜比較例２＞
ガラスシートにＩＴＯ電極がストライプ状に形成された厚さ７００μｍの電極付き透明ガラス基板を第1の基板とし、ガラスシートにＩＴＯ電極がストライプ状に形成された厚さ７００μｍの電極付き透明ガラス基板を第２の基板とした。第１の基板に形成されたストライプ状の電極と第２の基板に形成されたストライプ状の電極とは互いに直交するように対向させてできる基板間に表示媒体を封止するように貼り合せてパネルとした。第１の基板のストライプ電極は情報表示画面領域の外側に接続用のライン状電極として延長した。第２の基板のストライプ電極は情報表示画面領域の外側に接続用のライン状電極として延長した。第１の基板には、情報表示画面領域に形成されたストライプ電極とは別に、情報表示画面領域の外側に、前記第２の基板のストライプ電極を情報表示画面領域の外側に延長したライン状電極と基板間導通するための接続用のライン状電極を、第１の基板の情報表示画面領域に形成したストライプ電極と直角をなす方向に形成した。【００５７】
前記基板間導通は情報表示画面領域の外側において対向した接続用のライン状電極間に、平均粒子径４０μｍの導電粒子を含んだ異方導電接続材（ＡＣＳ）を配置して行った。２枚の基板間は基板間ギャップ確保用部材を用いて４０μｍとし、このＡＣＳ接続部の接続用のライン状電極間スペースは導電粒子の粒子径よりも大きく１００μｍとした。次に、第１の基板のストライプ電極から情報表示画面領域の外に延長した接続用のライン状電極と、駆動用ＩＣが実装されたフレキシブルケーブル（ＴＣＰともいう）を平均粒子径５μｍの導電粒子を含んだ異方導電膜（ＡＣＦ）を用いて電気的に接続した。さらに、第１の基板上に作製された接続用のライン状電極の外側端部分にも、前記ＡＣＦを用いて駆動用ＩＣが実装されたＴＣＰを電気的に接続した。接続する部分のライン状電極間スペースはいずれも２０μｍとした。これで、従来の情報表示用パネルが得られた。ガラエポ基板（ガラス繊維補強エポシキ樹脂基板）の片面のみに部品を実装し、片面は平らになるように駆動回路を形成した駆動回路基板を、平らな面を内側にして情報表示用パネルの裏側に配置し、駆動回路基板のコネクターに、情報表示用パネルのＴＣＰを接続して情報表示装置とし、情報表示用パネルの駆動を行った。【００５８】
＜結果＞
情報表示用パネルを駆動してテスト画像を表示させたところ、ＡＣＳ接続部分でリークする不具合が見られることがあった。ＡＣＳが含む導電粒子の粒子径Ｄ２とこのＡＣＳ接続部の接続用のライン状電極間スペースＤ１の関係が、Ｄ１／Ｄ２＞３を満たしていないためと考えられる。情報表示画面領域外側の表示が行えない部分、通称額縁と呼ばれる部分は狭くすることができ、体感的に実際の情報表示画面領域よりも画面が大きく感じられる情報表示部であったが、前記不具合が見られなかった情報表示用パネルでも、コネクターへのＴＣＰ着脱を繰返し行ったところ、接続用ＴＣＰが第２基板のエッジ部に当たるためか、ＴＣＰの配線部分に傷が付き、部分的に断線が発生し、テスト画像の一部が表示できないことがあった。
【産業上の利用可能性】
【００５９】
本発明の対象となる情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presence, Point of Purchase advertising）、電子値札、電子棚札、電子楽譜、ＲＦ−ＩＤ機器の表示部や、外部表示書き換え手段と接続して表示書き換えを行う表示部（いわゆるリライタブルペーパー）として好適に用いられる。
【図１】
2010073716.tif 000003
【図２】
2010073716.tif 000004
【図３】
2010073716.tif 000005
【図４】
2010073716.tif 000006
【図５】
2010073716.tif 000007
【図６】
2010073716.tif 000008
【図７】
2010073716.tif 000009
【図８】
2010073716.tif 000010
【図９】
2010073716.tif 000011
【国際調査報告】
2010073716.tif 000012
2010073716.tif 000013
2010073716.tif 000014